(57)【要約】【課題】  仏具の扉を閉じた際に内部（須弥壇）の視認性がよく、仏具にてお祈りする際に扉を開けても、仏具としてのデザイン性の高い仏具の提供。【解決手段】  前面に１以上の開き戸を有する仏具であって、前記開き戸が閉じられた状態において、仏具内部の視認が可能であり、前記開き戸が、開かれた状態において、前記開き戸自体を１回以上折り畳むことができ、且つ折り畳まれる各部分が互いに異なる２以上の図形又は模様を有しており、前記開き戸が折り畳まれた状態において、前記互いに異なる２以上の図形又は模様が重なり合うことによって、特定の図形又は模様が現れることを特徴とする。【選択図】図１
2019000598.tif 000002
【特許請求の範囲】
【請求項１】
前面に１以上の開き戸を有する仏具であって、
前記開き戸が閉じられた状態において、仏具内部の視認が可能であり、
前記開き戸が、開かれた状態において、前記開き戸自体を１回以上折り畳むことができ、且つ折り畳まれる各部分が互いに異なる２以上の図形又は模様を有しており、
前記開き戸が折り畳まれた状態において、前記互いに異なる２以上の図形又は模様が重なり合うことによって、特定の図形又は模様が現れることを特徴とする仏具。
【請求項２】
前記開き戸が折り畳まれた際に、折り畳まれた部分同士を固定する手段を有することを特徴とする請求項１に記載の仏具。
【請求項３】
前記固定する手段が磁石であることを特徴とする請求項２に記載の仏具。
【請求項４】
前記特定の図形又は模様が、七宝模様、籠目模様及び／又は立湧模様であることを特徴とする請求項１〜３に記載の仏具。
【請求項５】
前面に２以上の引き戸を有する仏具であって、
前記引き戸が閉じられた状態において、仏具内部の視認が可能であり、
前記２以上の引き戸が、それぞれ互いに異なる２以上の図形又は模様を有しており、
前記２以上の引き戸を重ね合わせることによって仏具を開いた際、前記互いに異なる２以上の図形又は模様が重なり合うことによって、特定の図形又は模様が現れることを特徴とする仏具。
【請求項６】
前記特定の図形又は模様が、七宝模様、籠目模様及び／又は立湧模様であることを特徴とする請求項５に記載の仏具。
【発明の詳細な説明】
【技術分野】
【０００１】  本発明は仏具に関するものであり、現在の居住空間に合うデザイン性の高い仏具に関する。
【背景技術】
【０００２】  近年、永代供養するための仏壇は、少子高齢化に伴い外観が従来な重厚なものだけでなく、現在の居住空間にあう省スペースの簡略したコンパクトでシンプルな外観の仏壇が要望されてデザイン性が重視されてきている。一方、仏壇にてお祈りをする際には、重厚性や尊厳性が求められている。【０００３】  特許文献１には、開閉式の扉を有する仏壇が開示されており、この扉のデザインを、扉に脱着自在に固定される表示層を取り換える手段を備えているもので、扉の変更できるものである。
【先行技術文献】
【特許文献】
【０００４】
【特許文献１】実用新案登録第３１５２０１６号公報
【発明の概要】
【発明が解決しようとする課題】
【０００５】  しかしながら、特許文献１のような従来の仏壇では、扉のデザインを変更することは可能だとしても、仏壇の扉を閉じた際に内部（須弥壇）内を視認することが出来ないものであった。高齢化に伴い、仏壇の扉を閉めた際に内部が見えない旧来形態の仏壇は、ろうそく等の消し忘れ等が確認できないものであり、安全性等に問題があった。このように、仏壇の扉を閉じた際に内部（須弥壇）の視認性がよくし、仏壇としての重厚性・荘厳性を保つデザイン性の高いものがなった。【０００６】  本発明は、仏壇や厨子である仏具の扉を閉じた際に内部（仏壇の場合は須弥壇）の視認性がよく、仏具にてお祈りする際に扉を開けても、仏具としてのデザイン性の高い仏具の提供を目的とする。
【課題を解決するための手段】
【０００７】  本発明の請求項１に仏具は、前面に１以上の開き戸を有する仏具であって、前記開き戸が閉じられた状態において、仏具内部の視認が可能であり、前記開き戸が、開かれた状態において、前記開き戸自体を１回以上折り畳むことができ、且つ折り畳まれる各部分が互いに異なる２以上の図形又は模様を有しており、前記開き戸が折り畳まれた状態において、前記互いに異なる２以上の図形又は模様が重なり合うことによって、特定の図形又は模様が現れることを特徴とする。【０００８】  本発明の請求項２に仏具は、前記開き戸が折り畳まれた際に、折り畳まれた部分同士を固定する手段を有することを特徴とする。【０００９】  本発明の請求項３に仏具は、前記固定する手段が磁石であることを特徴とする。【００１０】  本発明の請求項４に仏具は、前記特定の図形又は模様が、七宝模様、籠目模様及び／又は立湧模様であることを特徴とする【００１１】  本発明の請求項５に仏具は、前面に２以上の引き戸を有する仏具であって、前記引き戸が閉じられた状態において、仏具内部の視認が可能であり、前記２以上の引き戸が、それぞれ互いに異なる２以上の図形又は模様を有しており、前記２以上の引き戸を重ね合わせることによって仏具を開いた際、前記互いに異なる２以上の図形又は模様が重なり合うことによって、特定の図形又は模様が現れることを特徴とする。【００１２】  本発明の請求項６に仏具は、前記特定の図形又は模様が、七宝模様、籠目模様及び／又は立湧模様であることを特徴とする。
【発明の効果】
【００１３】  本発明の請求項１に係る仏具によれば、開き戸を閉じた際に仏具の内部（仏壇の場合は須弥壇）を視認することができ、そのため、ろうそく等の消し忘れ等が確認でき、安全性が高いものである。また、開き戸を開けた際に、開き戸が折り畳まれて互いに異なる２以上の図形又は模様が重なり合うことによって、特定の図形又は模様が現れて、引き戸を閉じた際と引き戸を開けた際の図形又は模様が異なり、デザイン性の高いものである。【００１４】  本発明の請求項２に係る仏具によれば、折り畳まれた開き戸の部分同士を固定する手段を有するので、開き戸の折り畳まれた状態を固定して維持できる。【００１５】  本発明の請求項３に係る仏具によれば、折り畳まれた開き戸の部分同士を固定する手段が磁石であるので、開き戸を折り畳むだけでその状態を簡単に維持できる。【００１６】  本発明の請求項４に係る仏具によれば、特定の図形又は模様が七宝模様、籠目模様及び／又は立湧模様であるので、仏具としての日本古来の重厚性・尊厳性を保つことができる。【００１７】  本発明の請求項５に係る仏具によれば、２以上の引き戸を閉じた際に仏具の内部（須弥壇）を視認することができ、そのため、ろうそく等の消し忘れ等が確認でき、安全性が高いものである。また、２以上の引き戸を開けた際に、引き戸の互いに異なる２以上の図形又は模様が重なり合うことによって、特定の図形又は模様が現れて、引き戸を閉じた際と引き戸を開けた際の図形又は模様が異なり、デザイン性の高いものである。【００１８】  本発明の請求項６に係る仏具によれば、特定の図形又は模様が七宝模様、籠目模様及び／又は立湧模様であるので、仏具としての日本古来の重厚性・尊厳性を保つことができる。
【図面の簡単な説明】
【００１９】
【図１】  本発明の実施形態に係る仏具の開き戸を開けた状態の斜視図。
【図２】  図１の仏具の開き戸を閉じた状態の正面図。
【図３】  図１の仏具の開き戸の各部分の小扉の正面図。
【図４】  図３の小扉の横断面図。
【図５】  本発明の実施形態に係る仏具の全体の横断面図。
【図６】  本発明の他の実施形態に係る正面図。
【図７】  本発明の他の実施形態に係る正面図。
【発明を実施するための形態】
【００２０】  本発明の仏具は、仏壇や厨子等の前面に開閉できる扉があるものである。
以下、添付図面を参照して、本発明の実施形態に係る仏具である仏壇について説明する。
図１〜５に示されるように、仏壇Ａは、箱状の仏壇本体１の内部に位牌や仏画等の仏具を収納する収納部１０が形成されている。仏壇Ａの仏壇本体１の前面には開口部１１が形成されており、この開口部１１には、１以上の開き戸（２、２ａ）が備えられている。
【００２１】  図１に示されるように、開き戸２、２ａは、開口部１０の左右端に回動自在に取り付けられて、観音開きに左右に開かれて、仏壇Ａの仏壇本体１の前面が開口した状態となる。図２に示されるように、開き戸２、２ａを閉じて、仏具Ａの仏具本体１の前面が閉じた状態となる。この開き戸２、２ａ自体は、開き戸自体を１回以上折り畳むことができるものであり、この実施例では、２つに折り畳まれるように形成されている。開き戸２は、折り畳まれる各部分である小扉２０、２１の２枚で形成され、また同様に開き戸２ａは、折り畳まれる各部分である小扉２０ａ、２１ａで形成されている。図示しないが、折り畳まれる開き戸２、２Ａの折り畳まれる状態を固定するために、小扉２０、２１同士又は小扉２０ａ、２１ａ同士を固定する手段を有する。例えば、小扉の当接面に固定手段として永久磁石体を用いるものであっても良く、ピン止めでよいものであり、永久磁石体の場合では、小扉の当接面に凹部を形成して、その凹部に永久磁石体を埋め込むように設ければ、表面に突出せず、見栄えがよく、小扉自体に傷をつけないものであるので、好ましいものである。
【００２２】  図３に示されるように、開き戸２の小扉２０、２１はほぼ同じ大きさであり、小扉２０、２１の外周には枠部２０ａ、２１ａが形成され、その枠部２０ａ、２１ａ内に図形又は模様が形成されることになる飾り部２０ｂ、２１ｂが設けられている。
そして、小扉２０の一方の端部には、開口部１０の端部に回動自在に取り付けられる軸支部２０Ｃが形成されている。図示しないが、開口部１０の端部の上部に設けられた軸受凹部に軸支部２０Ｃ上端部に設けられた軸凸部が嵌合し、開口部１０の端部の下部の凹部に設けられた永久磁石体と軸支部２０Ｃの下端部の凹部に設けられた永久磁石体とが吸着するように回動軸線上に設けられることで、小扉２０自体が回動自在となる。このような構造であれば、開き戸２、２ａ自体を開口部１１に脱着可能となるものである。他の開き戸２ａの小扉２２、２３も、開き戸２の小扉２０、２１と同様に形成されている。なお、永久磁石体を用いないで軸支して回動自在とする手段にて形成しても良いものである。
【００２３】  開き戸２の小扉２０、２１の飾り部２０ｂ、２１ｂは、互いに異なる図形又は模様を有しており、その図形又は模様は、開き戸２を閉じた際には、仏具Ａの収納部１０内部の視認が可能なように形成されている。そして、開き戸２が折り畳まれた状態において、小扉２０、２１同士が重なり合った際に、小扉２０、２１の互いに異なる２以上の図形又は模様が重なり合い、特定の図形又は模様が現れるものである。
【００２４】  図１〜５の本発明の実施形態では、特定の図形又は模様が「七宝」模様となるように形成されているものである。図２、３に示されるように、開き戸２の小扉２０、２１の飾り部２０ｂ、２１ｂには、互いに異なる七宝柄を形成する一部模様を表す円形状の桟体３にて形成されており、桟体３の周囲には仏具本体１の内部が視認できるように空間が形成されている。そして、開き戸２が折り畳まれた状態において小扉２０、２１が重なり合い、飾り部２０ｂ、２１ｂの互いに異なる七宝模様を形成する一部模様を表す桟体３同士が重なり合うことによって、図１のような「七宝」模様となる特定の図形又は模様が現れことになる。具体的には、図３に示されるように、飾り部２０ｂには円形状の桟が連続して形成されており、飾り部２１ｂでは、飾り部２０ｂと同形状の円形状の桟が、飾り部２０ｂの桟に対して上下方向と左右方向に半ピッチ位置がずらされて形成されており、重なり合った際にずれた桟同士にて円形の円弧にて「七宝」模様となるものである。
【００２６】  このように、仏具Ａの開き戸２、２ａが閉じられた状態であっても、小扉２０、２１、２２，２３の飾り部２０ｂ、２１ｂ、の桟体の空間から、仏具本体１の内部に位牌や仏画等の仏具を収納する収納部である仏具内部を視認することが出来るものであり、仏具Ａの開き戸２、２ａが開かれた状態では、開き戸２が折り畳まれて小扉２０、２１又は２２、２３のそれぞれの飾り部２０ｂ、２１ｂ又は２２ａ、２３ｂが重なり合って、特定の図形や模様である「七宝」模様が現れることになる。
【００２７】  本発明の他の実施形態に係る仏壇について説明する。
図６に示されるように、仏壇Ａ１の特定の図形又は模様が、「籠目」模様のとなる実施形態であり、図７に示されるように、仏壇Ａ２の特定の図形又は模様が、「立湧」模様のとなる実施形態である。この特定の図形又は模様が、日本古来の文様であれば、デザイン性が高く、仏具にてお祈りする場合に、その外観が重厚性・荘厳性を保つことが出来るものである。前記図形又は模様は、家紋、仏画等の絵画、あるいは幾何学模様であってもよいものである。また、個人のゆかりの図形又は模様で当ても良い。
【００２８】  図示しないが、請求項６に係る本発明の仏具の実施態様について説明する。
請求項１に係る仏具は、開き戸の観音開き式であるのに対して、請求項６に係る本発明の仏具は引き戸タイプの実施態様である。すなわち、仏具本体の前面の開口部を開閉するのは、前面に２以上の引き戸であり、引き戸が閉じられた状態において、仏具内部の視認ができるものであり、この２以上の引き戸が、それぞれ互いに異なる２以上の図形又は模様を有しており、２以上の引き戸を重ね合わせることによって仏具を開いた際、互いに異なる２以上の図形又は模様が重なり合うことによって、特定の図形又は模様が現れることは、請求項１の発明と同様である。
【００２９】  以上、本発明の実施形態に係る仏具について添付の図面を参照して説明したが、本発明はかかる実施形態に限定されず、本発明の範囲を逸脱することなく種々の変形乃至修正が可能である。すなわち、本発明に係る仏具は、仏壇の実施例を説明したが、仏具である扉がある厨子であっても良いものである。
【００３０】  また、例えば、本発明の仏具において、開き戸や引き戸は、仏具内部を視認できるように形成されるものであればよく、開き戸や引き戸にガラス、プラスチック等の透明な板体に図形や模様を施したものを使用してもよいものである。また、特定の図形又は模様を変更するために、開き戸や引き戸を取り換え自在にしても良いものである。さらに、折り畳まれる開き戸が２つ折りだけでなく、３つや４つに折り畳まれるタイプでもよいものである。
【符号の説明】
【００３１】Ａ、Ａ１、Ａ２    仏壇
１                仏壇本体
１０              収納部
１１              開口部
２、２ａ          開き戸
２０、２１、２２，２３  小扉
２０ａ、２１ａ    枠部
２０ｂ、２１ｂ    飾り部
２０ｃ            軸支部
３                桟体
【図１】
2019000598.tif 000003
【図２】
2019000598.tif 000004
【図３】
2019000598.tif 000005
【図４】
2019000598.tif 000006
【図５】
2019000598.tif 000007
【図６】
2019000598.tif 000008
【図７】
2019000598.tif 000009